(57)【要約】【課題】外部接続機器により使用された電力量を個別に測定する電力量測定機器を導入せず、当該外部接続機器により使用された電力量を個別に又は一括に算出し、当該算出された結果を表示する。【解決手段】複数の外部接続機器を制御する制御装置に接続されたプログラマブル表示器であって、前記複数の外部接続機器で使用される各々の使用電力量を含む外部接続機器情報を記憶する記憶部と、前記制御装置により制御される前記複数の外部接続機器の各々の稼働時間を取得する通信部と、前記通信部により取得された前記複数の外部接続機器の各々の稼働時間、及び前記記憶部により記憶される外部接続機器情報に基づき、前記複数の外部接続機器によりそれぞれ使用された累計使用電力量を算出する算出部と、を備える。【選択図】図１
2011090542.tif 000002
【特許請求の範囲】
【請求項１】
複数の外部接続機器を制御する制御装置に接続されたプログラマブル表示器であって、
前記複数の外部接続機器でそれぞれ使用される使用電力量を含む外部接続機器情報を記憶する記憶部と、
前記制御装置より、前記複数の外部接続機器の各々の稼働時間を取得する通信部と、
前記通信部により取得された前記複数の外部接続機器の各々の稼働時間、及び前記記憶部により記憶される外部接続機器情報に基づき、前記複数の外部接続機器によりそれぞれ使用された累計使用電力量を算出する算出部と、
を備えることを特徴とするプログラマブル表示器。
【請求項２】
請求項１に記載のプログラマブル表示器であって、
前記外部接続機器情報を前記記憶部に登録する登録部と、
を更に備えることを特徴とするプログラマブル表示器。
【請求項３】
請求項１又は２に記載のプログラマブル表示器であって、
前記算出部は、前記取得された前記外部接続機器の各々の稼働時間より当該外部接続機器全体の稼働時間を算出し、当該算出された前記外部接続機器全体の稼働時間に基づいて前記外部接続機器全体の累計使用電力量も算出することを特徴とするプログラマブル表示器。
【請求項４】
請求項１〜３のいずれか一項に記載のプログラマブル表示器であって、
前記算出部により算出された前記外部接続機器の各々の又は全体の累計使用電力量と、前記通信部により取得された前記外部接続機器の各々の又は全体の稼働時間とを表示する表示部と、
を更に備えることを特徴とするプログラマブル表示器。
【請求項５】
請求項１〜４のいずれか一項に記載のプログラマブル表示器であって、
前記算出部により算出された累計使用電力量が所定値未満か否かを判定する判定部と、
前記判定部により前記累計使用電力量が所定値未満と判定された場合に、アラートを表示するアラート表示部と、を更に備え、
前記記憶部には、前記アラート表示部により表示されたアラートの内容が記憶されることを特徴とするプログラマブル表示器。
【請求項６】
請求項１〜４のいずれか一項に記載のプログラマブル表示器であって、
前記算出部により算出された累計使用電力量が所定値以上か否かを判定する判定部と、
前記判定部により前記累計使用電力量が所定値以上と判定された場合に、アラートを表示するアラート表示部と、
前記記憶部には、前記アラート表示部により表示されたアラートの内容が記憶されることを特徴とするプログラマブル表示器。
【請求項７】
請求項２〜６のいずれか一項に記載のプログラマブル表示器であって、
前記通信部は、所定のタイミングに基づいて、前記複数の外部接続機器の各々の稼働時間を取得することを特徴とするプログラマブル表示器。
【請求項８】
複数の外部接続機器を制御する制御装置と、当該制御装置に接続されたプログラマブル表示器とを含む使用電力量算出システムであって、
前記プログラマブル表示器は、
前記複数の外部接続機器でそれぞれ使用される使用電力量を含む外部接続機器情報を記憶する記憶部と、
前記制御装置より、前記複数の外部接続機器の各々の稼働時間を取得する第１の通信部と、
前記第１の通信部により取得された前記外部接続機器の各々の稼働時間、及び前記記憶部により記憶される外部接続機器情報に基づき、前記複数の外部接続機器によりそれぞれ使用された累計使用電力量を算出する算出部と、を備え、
前記制御装置は、
前記複数の外部接続機器の各々の稼働時間を取得する稼働時間取得部と、
当該稼働時間取得部により取得された前記複数の外部接続機器の各々の稼働時間を前記第１の通信部に送信する第２の通信部と、
を備えることを特徴とする使用電力量算出システム。
【請求項９】
複数の外部接続機器を制御する制御装置と、当該制御装置に接続されたプログラマブル表示器とを含む使用電力量算出システムであって、
前記制御装置は、
前記複数の外部接続機器でそれぞれ使用される使用電力量を含む外部接続機器情報を記憶する記憶部と、
前記複数の外部接続機器の各々の稼働時間を取得する稼働時間取得部と、
前記稼働時間取得部により取得された前記外部接続機器の各々の稼働時間、及び前記記憶部により記憶される外部接続機器情報に基づき、前記複数の外部接続機器によりそれぞれ使用された累計使用電力量を算出する算出部と、
前記算出部により算出された前記複数の外部接続機器によりそれぞれ使用された使用電力量、前記稼働時間取得部により取得された前記複数の外部接続機器の各々の稼働時間を前記プログラマブル表示器に送信する第１の通信部を備え、
前記プログラマブル表示器は、
前記第１の通信部により送信された前記複数の外部接続機器によりそれぞれ使用された使用電力量、及び前記稼働時間取得部により取得された前記複数の外部接続機器の各々の稼働時間を取得する第２の通信部と、
前記第２の通信部により取得された前記複数の外部接続機器によりそれぞれ使用された使用電力量、及び前記稼働時間取得部により取得された前記複数の外部接続機器の各々の稼働時間を表示する表示部と、
を備えることを特徴とする使用電力量算出システム。
【発明の詳細な説明】
【技術分野】
【０００１】
本発明は、複数の外部接続機器で使用された累計使用電力量を一括に又は個別に算出して表示するプログラマブル表示器及び使用電力量算出システムに関する。
【背景技術】
【０００２】
近年、地球温暖化に対する対策の一つとして、地球温暖化の原因の一つとして指摘されている二酸化炭素（ＣＯ２）等の排出量を抑制することが挙げられている。世界中で二酸化炭素等の排出量が増大している昨今において、例えば産業界では、二酸化炭素等の排出量を抑制するため、市販製品の使用電力量、又は生産工場若しくは物流の各現場における設備機器等の使用電力量を抑制する取り組みが行われている。
【０００３】
生産工場等の現場における複数の設備機器等の使用電力量は、当該設備機器ごとに使用電力量を計測するために導入された複数の電力量測定機器の測定結果に基づいて把握される。この各々の電力量測定機器による測定結果は、当該電力量測定機器と接続されているＰＬＣ（プログラマブルロジックコントローラ）で統計等の演算が行われ、当該結果がプログラマブル表示器により表示される。プログラマブル表示器は、ＬＣＤ（液晶ディスプレイ）等の表示デバイスの上にタッチパネル等の操作入力デバイスを搭載した表示部を備え、ＰＬＣ等の外部機器と接続され、当該ＰＬＣに接続された複数の設備機器等の操作又は動作状況を表示する。
【０００４】
この種のプログラマブル表示器として、表示デバイス及び操作入力デバイスを有する表示部の他に、オペレーションシステムプログラムを保存したシステムメモリ、当該オペレーションシステムプログラムに基づいてシステム全体を制御する制御部、外部機器と接続され、その外部機器との間でデータを送受信する通信部、表示部の表示画面の設定情報を記憶する設定記憶メモリ等を備えたものが存在する（例えば、特許文献１参照）。
【０００５】
表示部の表示画面には、設定情報に基づいて、外部接続機器の操作用の操作ボタン又は操作スイッチ等の操作部材、各種表示用の文字又は画像等の表示シンボル等が表示される。表示画面の操作部材等の表示領域がタッチされることにより、表示画面上の操作入力デバイス及び制御部によって操作部材に対応する操作入力信号が生成され、通信部より出力されて外部接続機器に出力される。
【先行技術文献】
【特許文献】
【０００６】
【特許文献１】特開２００２−１７５１７２号公報
【発明の概要】
【発明が解決しようとする課題】
【０００７】
しかし、上記したように、生産工場では、設備機器の使用電力量を測定するための電力量測定機器が当該設備機器ごとに導入されるため、当該電力量測定機器を導入するためのコストが高くなるという問題点がある。更に、電力量測定機器が設備機器ごとに測定された場合には、当該各々の電力量測定機器による測定結果を集計するための装置又はソフトウェア等が別途必要になるため、更に導入するためのコストが増える。また、生産工場の状況等に応じて、設備機器ごとの個々の使用電力量を個別に計測し、又は当該工場における設備機器全体の使用電力量を一括に計測する等の柔軟な対応が求められることも多い。したがって、電力量測定機器の導入コストを極小に抑えると共に、生産工場の状況等に応じて、設備機器の使用電力量を柔軟に測定することが求められる。
【０００８】
そこで、本発明は、上記従来の事情に鑑みてなされたもので、その目的は、外部接続機器により使用された電力量を個別に測定する電力量測定機器を導入せず、当該外部接続機器により使用された電力量を個別に又は一括に算出し、当該算出された結果を表示するプログラマブル表示器及び使用電力量算出システムを提供することである。
【課題を解決するための手段】
【０００９】
本発明のプログラマブル表示器は、複数の外部接続機器を制御する制御装置に接続されたプログラマブル表示器であって、前記複数の外部接続機器でそれぞれ使用される使用電力量を含む外部接続機器情報を記憶する記憶部と、前記制御装置より、前記複数の外部接続機器の各々の稼働時間を取得する通信部と、前記通信部により取得された前記複数の外部接続機器の各々の稼働時間、及び前記記憶部により記憶される外部接続機器情報に基づき、前記複数の外部接続機器によりそれぞれ使用された累計使用電力量を算出する算出部と、を備える。
【００１０】
また、本発明のプログラマブル表示器は、前記外部接続機器情報を前記記憶部に登録する登録部と、を更に備える。
【００１１】
また、本発明のプログラマブル表示器の前記算出部は、前記取得された前記外部接続機器の各々の稼働時間より当該外部接続機器全体の稼働時間を算出し、当該算出された前記外部接続機器全体の稼働時間に基づいて前記外部接続機器全体の使用電力量を算出する。
【００１２】
また、本発明のプログラマブル表示器は、前記算出部により算出された前記外部接続機器の各々の又は全体の使用電力量と、前記通信部により取得された前記外部接続機器の各々の又は全体の稼働時間とを表示する表示部と、を更に備える。
【００１３】
また、本発明のプログラマブル表示器は、前記算出部により算出された累計使用電力量が所定値未満か否かを判定する判定部と、前記判定部により前記累計使用電力量が所定値未満と判定された場合に、アラートを表示するアラート表示部と、を更に備え、前記記憶部には、前記アラート表示部により表示されたアラートの内容が記憶される。
【００１４】
また、本発明のプログラマブル表示器は、前記算出部により算出された累計使用電力量が所定値以上か否かを判定する判定部と、前記判定部により前記累計使用電力量が所定値以上と判定された場合に、アラートを表示するアラート表示部と、前記記憶部には、前記アラート表示部により表示されたアラートの内容が記憶される。
【００１５】
また、本発明のプログラマブル表示器の前記通信部は、所定のタイミングに基づいて、前記複数の外部接続機器の各々の稼働時間を取得する。
【００１６】
次に、本発明の使用電力量算出システムは、複数の外部接続機器を制御する制御装置と、当該制御装置に接続されたプログラマブル表示器とを含む使用電力量算出システムであって、前記プログラマブル表示器は、前記複数の外部接続機器でそれぞれ使用される使用電力量を含む外部接続機器情報を記憶する記憶部と、前記制御装置より、前記複数の外部接続機器の各々の稼働時間を取得する第１の通信部と、前記第１の通信部により取得された前記外部接続機器の各々の稼働時間、及び前記記憶部により記憶される外部接続機器情報に基づき、前記複数の外部接続機器によりそれぞれ使用された累計使用電力量を算出する算出部と、を備え、前記制御装置は、前記複数の外部接続機器の各々の稼働時間を取得する稼働時間取得部と、当該稼働時間取得部により取得された前記複数の外部接続機器の各々の稼働時間を前記第１の通信部に送信する第２の通信部と、を備える。
【００１７】
さらに、本発明の使用電力量算出システムは、複数の外部接続機器を制御する制御装置と、当該制御装置に接続されたプログラマブル表示器とを含む使用電力量算出システムであって、前記制御装置は、前記複数の外部接続機器でそれぞれ使用される使用電力量を含む外部接続機器情報を記憶する記憶部と、前記複数の外部接続機器の各々の稼働時間を取得する稼働時間取得部と、前記稼働時間取得部により取得された前記外部接続機器の各々の稼働時間、及び前記記憶部により記憶される外部接続機器情報に基づき、前記複数の外部接続機器によりそれぞれ使用された累計使用電力量を算出する算出部と、前記算出部により算出された前記複数の外部接続機器によりそれぞれ使用された使用電力量、前記稼働時間取得部により取得された前記複数の外部接続機器の各々の稼働時間を前記プログラマブル表示器に送信する第１の通信部を備え、前記プログラマブル表示器は、前記第１の通信部により送信された前記複数の外部接続機器によりそれぞれ使用された使用電力量、及び前記稼働時間取得部により取得された前記複数の外部接続機器の各々の稼働時間を取得する第２の通信部と、前記第２の通信部により取得された前記複数の外部接続機器によりそれぞれ使用された使用電力量、及び前記稼働時間取得部により取得された前記複数の外部接続機器の各々の稼働時間を表示する表示部と、を備える。
【発明の効果】
【００１８】
本発明のプログラマブル表示器及び使用電力量算出システムによれば、外部接続機器により使用された電力量を個別に測定する電力量測定機器を導入せず、当該外部接続機器により使用された電力量を個別に又は一括に算出し、当該算出された結果を表示することができる。
【図面の簡単な説明】
【００１９】
【図１】第１の実施形態の使用電力量計測システムの全体構成を示すシステム構成図。
【図２】第１の実施形態のＰＬＣの内部構成を示すブロック図。
【図３】第１の実施形態のプログラマブル表示器の内部構成を示すブロック図。
【図４】第１の実施形態の使用電力量計測システムの外部接続機器に関する外部接続機器情報を登録するための登録画面の一例を示す図。
【図５】外部接続機器情報の一例を示す図。
【図６】第１の実施形態の外部接続機器情報が登録される処理を説明するフローチャート。
【図７】第１の実施形態のプログラマブル表示器の表示部に表示された使用電力量算出結果情報の一例を示す図。
【図８】第１の実施形態のプログラマブル表示器の表示部に表示された使用電力量算出結果情報の別の一例を示す図。
【図９】第１の実施形態のＰＬＣが外部接続機器により使用された累計使用電力量を算出する処理を説明するフローチャート。
【図１０】第１の実施形態のプログラマブル表示器が外部接続機器により使用された累計使用電力量を算出する処理を説明するフローチャート。
【発明を実施するための形態】
【００２０】
以下、本発明の実施形態について、図面を参照して説明する。
【００２１】
（第１の実施形態）
図１は、第１の実施形態の使用電力量算出システム１０の全体構成を示すシステム構成図である。使用電力量算出システム１０は、ＰＬＣ１００、ＰＣ１３０、プログラマブル表示器２００及び外部接続機器５００を有する。外部接続機器５００は、ＰＬＣ１００により制御される各種の計測機器等の総称である。具体的には、外部接続機器５００は、コンベヤ５０１、計測機５０２、バーコードリーダ５０３、レーザーマーカ５０４、画像処理機５０５、ＲＦＩＤリーダ５０６及びセンサ５０７等の各計測機器により構成される。ただし、外部接続機器５００は、上記した各種の計測機器以外の計測機器を含むようにしても構わない。
【００２２】
ＰＬＣ１００は、外部接続機器５００を構成する各計測機器の動作を制御する制御装置である。また、プログラマブル表示器２００により、各計測機器の動作又は累計使用電力量の算出に関する操作指示が送信された場合には、ＰＬＣ１００は、当該操作指示の内容に応じた動作を行う。また、ＰＬＣ１００は、外部接続機器５００を構成する各計測機器の動作が開始されたときの時刻情報を当該計測機器ごとに取得すると共に、当該各計測機器の動作が終了されたときの時刻情報を当該計測機器ごとに取得する。ここで、各計測機器の稼働時間とは、各計測機器の動作が終了されたときの時刻から当該各計測機器の動作が開始されたときの時刻を差し引いた時間である。ＰＬＣ１００は、外部接続機器５００を構成する各計測機器の稼働時間を取得する。また、プログラマブル表示器２００から当該各計測機器の稼働時間の要求情報がＰＬＣ１００に送信された場合には、ＰＬＣ１００は、当該要求情報に対応する各計測機器の稼働時間をプログラマブル表示器２００に送信する。
【００２３】
また、図１に示すように、ＰＬＣ１００は、プログラマブル表示器２００及び外部接続機器５００と電気的に並列接続されている。ＰＬＣ１００には、所定の基幹電源（不図示）により出力された基幹電流（交流電流）が入力される。ＰＬＣ１００は、この入力された基幹電流（交流電流）を直流電流に整流し、この整流された直流電流に基づいて、外部接続機器５００を構成する各接続機器のそれぞれの動作を制御する。ＰＬＣ１００の内部構成は後述する。
【００２４】
ＰＣ１３０は、プログラマブル表示器２００の使用状況を日常的に又は定期的に管理するために設けられたものである。ＰＣ１３０は、ＰＬＣ１００又はプログラマブル表示器２００により算出された外部接続機器５００を構成する各計測機器の累計使用電力量、当該算出されたときの時刻、当該累計使用電力量の使用時間の条件、及び当該累計使用電力量に対応して算出された使用料金を、プログラマブル表示器２００を介して取得する。以下の説明において、使用電力量算出結果とは、この算出された累計使用電力量、当該算出されたときの時刻、当該使用電力量の使用時間の条件、及び当該累計使用電力量に対応して算出された使用料金を指す。ＰＣ１３０は、この取得された使用電力量算出結果をログとして当該ＰＣ１３０内の記憶部（不図示）に記憶する。
【００２５】
プログラマブル表示器２００は、ＰＬＣ１００に接続され、当該ＰＬＣ１００に接続された外部接続機器５００を構成する各計測機器を操作したり、又は当該各計測機器の動作状況を表示したりする。プログラマブル表示器２００は、ＰＬＣ１００により算出された外部接続機器５００の各計測機器による使用電力量算出結果を取得し、この取得された使用電力量算出結果をプログラマブル表示器２００の表示画面に表示する。また、プログラマブル表示器２００は、ネットワークを介してＰＣ１３０と接続されており、上記した算出された使用電力量算出結果を所定のタイミングでＰＣ１３０に送信する。この接続形態は、有線でも良いし、無線でも構わない。プログラマブル表示器２００の内部構成は後述する。
【００２６】
コンベヤ５０１、計測機５０２、バーコードリーダ５０３、レーザーマーカ５０４、画像処理機５０５、ＲＦＩＤリーダ５０６及びセンサ５０７の各計測機器等により構成される外部接続機器５００は、ＰＬＣ１００により各計測機器の動作が制御される。また、外部接続機器５００の各計測機器に関する内容は本発明の内容と直接関連しないため、当該内容の説明は省略する。
【００２７】
（ＰＬＣ１００の内部構成に関する説明）
ＰＬＣ１００の内部構成に関して、図２を参照して説明する。図２は、第１の実施形態の使用電力量算出システム１０におけるＰＬＣ１００の内部構成を示すブロック図である。ＰＬＣ１００は、図２に示すように、制御部１０１、外部接続機器制御部１０２、タイマー部１０３、外部接続機器情報登録部１０４、累計使用電力量算出部１０５、外部通信部１０６及びメモリ部１０７を有する。
【００２８】
制御部１０１は、ＰＬＣ１００内の各部１０２〜１０７を制御する。ＰＬＣ１００の電源がＯＮされた場合には、制御部１０１は、タイマー部１０３より当該電源がＯＮされたときのシステム開始時刻を取得すると共に、基幹電源（不図示）により供給された基幹電流に基づいてＰＬＣ１００全体を起動する制御を行う。また、ＰＬＣ１００の電源がＯＮされた場合には、制御部１０１は、外部接続機器制御部１０２に、外部接続機器５００を構成する各計測機器の動作開始に関する制御を行う旨の制御信号を出力すると共に、この制御信号に応答して各計測機器の動作が開始されたときの時刻情報を外部接続機器制御部１０２より取得する。
【００２９】
ＰＬＣ１００の電源がＯＮされ、且つ、当該電源がＯＦＦされるまでの間では、制御部１０１は、外部接続機器制御部１０２、タイマー部１０３又は外部通信部１０６のいずれかからの入力信号に基づいて、各部１０２〜１０７へ当該各部１０２〜１０７をそれぞれ制御するための制御信号を出力する。各部１０２〜１０７は、制御部１０１から出力された制御信号に基づいて動作する。
【００３０】
ＰＬＣ１００の電源がＯＦＦされた場合には、制御部１０１は、タイマー部１０３より当該電源がＯＦＦされたときのシステム終了時刻を取得する。さらに、ＰＬＣ１００の電源がＯＦＦされた場合には、制御部１０１は、外部接続機器制御部１０２に、各計測機器の動作終了に関する制御を行う旨の制御信号を出力すると共に、この制御信号に応答して各計測機器の動作が終了されたときの時刻情報を外部接続機器制御部１０２より取得する。
【００３１】
また、プログラマブル表示器２００及び外部通信部１０６を介して、又は予め設定された所定時刻に若しくはＰＬＣ１００の電源がＯＦＦされた時刻にタイマー部１０３を介して、制御部１０１は、所定又は全体の計測機器の累計使用電力量を算出する旨の指示を取得する。この場合、制御部１０１は、当該指示が取得されたときの時刻と、当該指示に対応する各計測機器の動作の開始時刻との差をそれぞれ算出する。制御部１０１は、この算出された各々の計測機器の稼働時間の値を累計使用電力量算出部１０５に出力する。また、制御部１０１は、この算出された各々の計測機器の稼働時間の値を、外部通信部１０６を介してプログラマブル表示器２００に送信しても構わない。
【００３２】
外部接続機器制御部１０２は、制御部１０１により出力された制御信号に基づいて、外部接続機器５００を構成する各計測機器の動作を開始する制御を行い、所定の動作を行うように制御し、又は当該各計測機器の動作を終了する制御を行う。ＰＬＣ１００の電源がＯＮされた場合には、外部接続機器制御部１０２は、各計測機器の動作開始に関する制御を行う旨の制御信号を制御部１０１より取得し、この取得された制御信号に基づき、外部接続機器５００を構成する各計測機器の動作を開始する制御を行う。また、外部接続機器制御部１０２は、各計測機器の動作が開始されたときの各々の時刻情報を取得し、この取得された各々の時刻情報を制御部１０１に出力する。
【００３３】
また、ＰＬＣ１００の電源がＯＦＦされた場合には、外部接続機器制御部１０２は、各計測機器の動作終了に関する制御を行う旨の制御信号を制御部１０１より取得し、この取得された制御信号に基づき、外部接続機器５００を構成する各計測機器の動作を終了する制御を行う。また、外部接続機器制御部１０２は、各計測機器の動作が終了されたときの各々の時刻情報を取得し、この取得された各々の時刻情報を制御部１０１に出力する。
【００３４】
タイマー部１０３は、ＰＬＣ１００内の時刻を計測し、この計測された時刻を制御部１０１に出力する。ＰＬＣ１００の電源がＯＮされた場合には、タイマー部１０３は、ＰＬＣ１００のシステム開始時刻を制御部１０１に出力する。タイマー部１０３は、プログラマブル表示器２００及び外部通信部１０６を介して、所定又は全体の計測機器の累計使用電力量を算出する旨の指示情報が取得されたときの時刻を計測し、この計測された時刻を制御部１０１に出力する。ＰＬＣ１００の電源がＯＦＦされた場合には、タイマー部１０３は、ＰＬＣ１００のシステム終了時刻を制御部１０１に出力する。また、タイマー部１０３は、累計使用電力量算出部１０５により算出が行われたときの時刻を計測し、この計測された時刻を制御部１０１に出力する。
【００３５】
外部接続機器情報登録部１０４は、外部接続機器５００を構成する各計測機器に関する計測機器の名称、当該計測機器にて平均的に使用される使用電力量［Ｗ］及び計測機器の台数を、外部接続機器情報５０として登録してメモリ部１０７に記憶する（図５参照）。これら計測機器の名称、使用電力量及び台数を登録する旨の登録要求情報は、プログラマブル表示器２００により入力され、外部通信部１０６を介して制御部１０１により取得される（図４参照）。外部接続機器情報登録部１０４は、制御部１０１を介して登録要求情報を取得し、この取得された登録要求情報にしたがって、上記した計測機器の名称、使用電力量及び台数を外部接続機器情報５０として登録してメモリ部１０７に記憶する。なお、計測機器の名称、使用電力量及び台数は、プログラマブル表示器２００により入力された登録要求情報に含まれる。
【００３６】
累計使用電力量算出部１０５は、メモリ部１０７に記憶されている外部接続機器情報５０、及び制御部１０１により出力された各計測機器の稼働時間の値に基づいて、外部接続機器５００を構成する各計測機器により使用された各々の累計使用電力量を算出する。さらに、累計使用電力量算出部１０５は、計測機器ごとの累計使用電力量に対応する使用料金も算出する。使用料金は、累計使用電力量に応じて予め定められた関係式に基づいて算出される。この関係式は、メモリ部１０７に記憶されている。累計使用電力量算出部１０５が算出するタイミングは、プログラマブル表示器２００及び外部通信部１０６を介して、又は予め設定された所定時刻に若しくはＰＬＣ１００の電源がＯＦＦされた時刻にタイマー部１０３を介して、所定又は全体の計測機器の累計使用電力量を算出する旨の指示が制御部１０１に入力されたときである。
【００３７】
累計使用電力量算出部１０５は、算出された各々の計測機器の累計使用電力量、当該算出されたときの時刻、当該累計使用電力量の使用時間の条件、及び当該累計使用電力量に対応する使用料金を制御部１０１に出力する。制御部１０１は、これら算出された各々の計測機器の累計使用電力量、当該算出されたときの時刻、当該累計使用電力量の使用時間の条件、及び当該累計使用電力量に対応する使用料金を関連付けした使用電力量算出結果情報を生成してメモリ部１０７に記憶する。
【００３８】
また、制御部１０１は、これら算出された各々の計測機器の累計使用電力量、当該算出されたときの時刻、当該累計使用電力量の使用時間の条件、及び当該累計使用電力量に対応する使用料金を、外部通信部１０６を介してプログラマブル表示器２００に送信する。
【００３９】
ここで、累計使用電力量の使用時間の条件は、例えば、１時間単位、１日単位、１カ月単位又は１年単位で選択され、予め定められていても構わないし、プログラマブル表示器２００により動的に選択されても構わない。この選択された使用時間の条件に応じて、累計使用電力量算出部１０５は、累計使用電力量を算出する。例えば、累計使用電力量算出部１０５が毎日（１日単位で）累計使用電力量を算出する場合には、当該算出日における各計測機器の稼働時間及び外部接続機器情報５０の使用電力量に基づいて累計使用電力量を算出する。この他、累計使用電力量算出部１０５が１カ月単位で累計使用電力量を算出する場合には、例えば、当該算出日より１カ月前まで遡った各計測機器の稼働時間の合計値及び外部接続機器情報５０の使用電力量に基づいて累計使用電力量を算出する。１時間単位又は１年単位で累計用電力量を算出する場合も同様である。
【００４０】
外部通信部１０６は、プログラマブル表示器２００と、又はＰＬＣ１００に外付け的に接続されている外部メモリ部１５０と通信を行う。制御部１０１により生成された使用電力量算出結果情報は、外部通信部１０６を介してプログラマブル表示器２００に送信される。この送信形態は、ＬＡＮ等の有線通信が望ましい。
【００４１】
メモリ部１０７は、ハードディスク、ＲＡＭ及びＲＯＭ等により構成される。メモリ部１０７には、ＰＬＣ１００を制御するためのシステムプログラムデータが記憶されている。また、メモリ部１０７は、制御部１０１によるワークメモリとしても使用される。制御部１０１は、ＰＬＣ１００の電源がＯＮされたとき、メモリ部１０７からシステムプログラムデータを読み出してＲＡＭに展開し、当該システムを立ち上げてＰＬＣ１００を制御する。
【００４２】
メモリ部１０７は、外部接続機器情報登録部１０４により登録された外部接続機器情報５０を記憶する（図５参照）。また、メモリ部１０７には、累計使用電力量算出部１０５により算出された累計使用電力量、当該算出されたときの時刻、当該累計使用電力量の使用時間の条件、及び当該累計使用電力量に対応する使用料金が関連付けされた使用電力量算出結果情報が記憶される。メモリ部１０７には、累計使用電力量と使用料金との関係式が記憶されている。また、メモリ部１０７に記憶される使用電力量算出結果情報、又は／及び累計使用電力量と使用料金との関係式は外部メモリ部１５０に記憶されるようにしても構わない。
【００４３】
外部メモリ部１５０は、ハードディスク、又はフラッシュメモリ等の半導体メモリにより構成され、ＰＬＣ１００及びプログラマブル表示器２００の外部に接続される。外部メモリ部１５０には、使用電力量算出結果情報、及び累計使用電力量と使用料金との関係式が記憶されても構わない。
【００４４】
（プログラマブル表示器２００の内部構成に関する説明）
プログラマブル表示器２００の内部構成に関して、図３を参照して説明する。図３は、第１の実施形態の使用電力量算出システム１０におけるプログラマブル表示器２００の内部構成を示すブロック図である。プログラマブル表示器２００は、図３に示すように、制御部２０１、指示入力部２０２、表示部２０３、メモリ部２０４、タイマー部２０５、累計使用電力量算出部２０６、及び外部通信部２０７を有する。
【００４５】
制御部２０１は、プログラマブル表示器２００内の各部２０２〜２０７を制御する。プログラマブル表示器２００の電源がＯＮされた場合には、制御部２０１は、タイマー部２０５より当該電源がＯＮされたときのシステム開始時刻を取得すると共に、プログラマブル表示器２００全体を起動する制御を行う。また、プログラマブル表示器２００の電源がＯＮされた場合には、制御部２０１は、外部通信部２０７を介して、ＰＬＣ１００又は外部接続機器５００を構成する各計測機器の動作状況を取得し、この取得された動作状況に関する情報を表示部２０３に表示する。
【００４６】
プログラマブル表示器２００の電源がＯＮされ、且つ、当該電源がＯＦＦされるまでの間では、制御部２０１は、指示入力部２０２、タイマー部２０５又は外部通信部２０７からの入力信号に基づいて、各部２０２〜２０７へ当該各部２０２〜２０７をそれぞれ制御するための制御信号を出力する。各部２０２〜２０７は、制御部２０１から出力された制御信号に基づいて動作する。
【００４７】
プログラマブル表示器２００の電源がＯＦＦされた場合には、制御部２０１は、タイマー部２０５より当該電源がＯＦＦされたときのシステム終了時刻を取得する。また、指示入力部２０２、ＰＬＣ１００及び外部通信部２０７を介して、又は予め設定された所定時刻に若しくはプログラマブル表示器２００の電源がＯＦＦされた時刻にタイマー部２０５を介して、制御部２０１は、所定又は全体の計測機器の累計使用電力量を算出する旨の指示を取得する。この場合、制御部２０１は、外部通信部２０７を介してＰＬＣ１００に対し、各計測機器の動作の開始時刻と当該指示が取得されたときの時刻とにおける各計測機器の稼働時間を要求する旨の要求情報を送信する。制御部２０１は、この送信された要求情報に対応する各計測機器の稼働時間の値をＰＬＣ１００より取得する。
【００４８】
指示入力部２０２は、例えば、タッチパネル等で構成され、表示部２０３上が物理的にタッチされたことを検出する。指示入力部２０２、例えば平板状のコンデンサに対して、ユーザの指又はスタイラスペンなどのポインティングデバイスを介して当該コンデンサ上が接触されたときの当該コンデンサにおける静電容量の微弱変化によって当該接触場所を検出する。指示入力部２０２は、表示部２０３上が物理的にタッチされた位置の座標値情報を取得し、この取得された座標値情報を制御部２０１に出力する。
【００４９】
指示入力部２０２を介して、外部接続機器情報５０の登録処理の旨の要求情報が入力されると、制御部２０１は、当該入力された要求情報に対応する外部接続機器情報５０の登録画面を表示部２０３に表示する（図４参照）。また、指示入力部２０２を介して、外部接続機器５００を構成する各計測機器に関する計測機器の名称、当該計測機器にて平均的に使用される使用電力量［Ｗ］及び計測機器の台数が、外部接続機器情報５０の登録画面（図４参照）上に入力される。これら入力された計測機器の名称、使用電力量及び台数は、制御部２０１により、外部接続機器情報５０としてメモリ部２０４に記憶される。
【００５０】
表示部２０３は、ユーザがプログラマブル表示器２００を操作するときのメニュー画面、当該プログラマブル表示器２００に接続されるＰＬＣ１００等の動作状態を表示する。表示部２０３には、制御部２０１から所定の表示内容に関する制御信号に基づいて、この制御信号に含まれる制御情報に対応した内容が表示される。表示部２０３は、液晶ディスプレイ等で構成される。また、表示部２０３は、ＰＬＣ１００又はプログラマブル表示器２００のいずれかにより算出された使用電力量算出結果情報を表示する。
【００５１】
メモリ部２０４は、ハードディスク、ＲＡＭ及びＲＯＭ等により構成される。メモリ部２０４には、プログラマブル表示器２００を制御するためのシステムプログラムデータが記憶されている。また、メモリ部２０４は、制御部２０１によるワークメモリとしても使用される。制御部２０１は、プログラマブル表示器２００の電源がＯＮされたとき、メモリ部２０４からシステムプログラムデータを読み出してＲＡＭに展開し、当該システムを立ち上げてプログラマブル表示器２００を制御する。
【００５２】
メモリ部２０４には、指示入力部２０２を介して入力された計測機器の名称、使用電力量及び台数が外部接続機器情報５０として記憶される。メモリ部２０４には、累計使用電力量算出部２０６により算出された累計使用電力量、当該算出されたときの時刻、及び当該累計使用電力量の使用時間の条件、及び当該累計使用電力量に対応する使用料金が使用電力量算出結果情報として記憶される。
【００５３】
タイマー部２０５は、プログラマブル表示器２００内の時刻を計測し、この計測された時刻を制御部２０１に出力する。タイマー部２０５は、表示部２０３に表示されている操作画面内の所定の画面領域がタッチされたときの時刻情報を制御部２０１に出力する。プログラマブル表示器２００の電源がＯＮされた場合には、タイマー部２０５は、プログラマブル表示器２００のシステム開始時刻を制御部２０１に出力する。プログラマブル表示器２００の電源がＯＦＦされた場合には、タイマー部２０５は、プログラマブル表示器２００のシステム終了時刻を制御部２０１に出力する。また、タイマー部２０５は、累計使用電力量算出部２０６により算出されたときの時刻を計測し、この計測された時刻を制御部２０１に出力する。
【００５４】
累計使用電力量算出部２０６は、ＰＬＣ１００及び外部通信部２０７を介して取得された各計測機器の稼働時間の値、及びメモリ部２０４に記憶されている外部接続機器情報５０に基づいて、外部接続機器５００により使用された累計使用電力量を算出する。さらに、累計使用電力量算出部２０６は、計測機器ごとの累計使用電力量に対応する使用料金も算出する。使用料金は、累計使用電力量に応じて予め定められた関係式に基づいて算出される。この関係式は、メモリ部２０４に記憶されている。
【００５５】
累計使用電力量算出部２０６は、これら算出された各々の累計使用電力量、当該算出されたときの時刻、当該累計使用電力量の使用時間の条件、及び当該累計使用電力量に対応する使用料金をメモリ部２０４に記憶する。累計使用電力量算出部２０６が算出するタイミングは、ＰＬＣ１００及び外部通信部２０７を介して、又は予め設定された所定時刻に若しくはプログラマブル表示器２００の電源がＯＦＦされた時刻にタイマー部２０５を介して、所定又は全体の計測機器の累計使用電力量を算出する旨の指示が入力されたときである。
【００５６】
累計使用電力量算出部２０６は、算出された各々の累計使用電力量、当該算出されたときの時刻、当該累計使用電力量の使用時間の条件、及び当該累計使用電力量に対応する使用料金を制御部２０１に出力する。制御部２０１は、これら算出された各々の計測機器の累計使用電力量、当該算出されたときの時刻、当該累計使用電力量の使用時間の条件、及び当該累計使用電力量に対応する使用料金を関連付けした使用電力量算出結果情報を表示部２０３に表示する。
【００５７】
また、制御部２０１は、これら算出された各々の計測機器の累計使用電力量、当該算出されたときの時刻、当該累計使用電力量の使用時間の条件、及び当該累計使用電力量に対応する使用料金を、外部通信部２０７を介してＰＣ１３０又は外部メモリ部１５０に送信する。
【００５８】
ここで、累計使用電力量の使用時間の条件は、例えば、１時間単位、１日単位、１カ月単位又は１年単位で選択され、予め定められていても構わないし、指示入力部２０２により動的に選択されても構わない。この選択された使用時間に応じて、累計使用電力量算出部２０６は、累計使用電力量を算出する。例えば、累計使用電力量算出部２０６が毎日（１日単位で）累計使用電力量を算出する場合には、当該算出日における各計測機器の稼働時間及び外部接続機器情報５０の使用電力量に基づいて累計使用電力量を算出する。この他、累計使用電力量算出部２０６が１カ月単位で累計使用電力量を算出する場合には、例えば、当該算出日より１カ月前まで遡った各計測機器の稼働時間の合計値及び外部接続機器情報５０の使用電力量に基づいて累計使用電力量を算出する。１時間単位又は１年単位で累計使用電力量を算出する場合も同様である。
【００５９】
外部通信部２０７は、ＰＬＣ１００と、又はプログラマブル表示器２００に外付け的に接続されている外部メモリ部１５０と通信を行う。外部通信部２０７とＰＣ１３０とは、ネットワークを介して接続されている。制御部２０１により生成された使用電力量算出結果情報は、外部通信部２０７を介してＰＣ１３０に送信される。この送信形態は、ＬＡＮ等の有線通信でも良いし、特定小電力無線、無線ＬＡＮ又は近距離通信等の無線通信でも構わない。
【００６０】
特に無線通信の場合、ＰＣ１３０により、ＰＣ１３０が無線通信におけるマスターとして設定され、且つ、プログラマブル表示器２００が無線通信におけるスレーブとして設定されている場合には、プログラマブル表示器２００は、マスターとして設定されたＰＣ１３０のみに使用電力量算出結果を送信することができる。ただし、このマスター及びスレーブの設定は、ＰＣ１３０により切り替えることもできるし、プログラマブル表示器２００の制御部１０１により切り替えることもできる。
【００６１】
（外部接続機器情報の登録に関する説明）
次に、外部接続機器５００を構成する各計測機器に関する外部接続機器情報５０について、図４〜図６を参照して説明する。図４は、外部接続機器５００に関する外部接続機器情報５０を登録するための登録画面の一例を示す図面である。図５は、メモリ部１０７、メモリ部２０４又は外部メモリ部１５０に記憶される外部接続機器情報５０の一例を示す図面である。図６は、外部接続機器情報５０が登録される処理を説明するフローチャートである。
【００６２】
指示入力部２０２を介して、外部接続機器情報５０の登録処理の旨の要求情報が入力されると、制御部２０１は、当該入力された要求情報に対応する外部接続機器情報５０の登録画面を表示部２０３に表示する（Ｓ１０１、図４参照）。指示入力部２０２を介して、各計測機器の名称、使用電力量及び台数が、図４に示す登録画面上に全て入力された場合のみ（Ｓ１０２のＹＥＳ、Ｓ１０３のＹＥＳ、Ｓ１０４のＹＥＳ）、これら入力された計測機器の名称、使用電力量及び台数は、制御部２０１により、外部接続機器情報５０としてメモリ部２０４に記憶される（Ｓ１０５）。外部接続機器情報５０は、少なくとも各計測機器の名称、使用電力量及び台数は全て入力される必要があるためである。
【００６３】
続けて、外部接続機器情報５０の登録がなされる場合には、再度、計測機器の名称、使用電力量及び台数の入力が要求され（Ｓ１０６のＮＯ）、当該外部接続機器情報５０の登録がなされない場合には、外部接続機器情報５０の登録は終了する。登録された計測機器の名称、使用電力量及び台数は、図５に示すように、当該計測機器を識別するＩＤとともに外部接続機器情報５０として記憶される。
【００６４】
（使用電力量算出結果の具体例）
次に、表示部２０３に表示された使用電力量算出結果の具体例について、図７及び図８を参照して説明する。図７は、第１の実施形態の使用電力量算出システム１０におけるＰＬＣ１００又はプログラマブル表示器２００により算出された使用電力量算出結果情報の一例を示す図面である。図８は、第１の実施形態の使用電力量算出システム１０におけるＰＬＣ１００又はプログラマブル表示器２００により算出された使用電力量算出結果の別の一例を示す図面である。
【００６５】
図７では、２００９年７月１日の＊＊時を算出時刻とする７月１日の一日分における各計測機器における累計電力使用量［Ｗ］、当該日の稼働時間、及び当該電力使用量に対する使用料金［円］が表示されている。使用料金［円］は、累計使用電力量［Ｗ］及び稼働時間に基づいて累計使用電力量算出部１０５又は累計使用電力量算出部２０６により算出される。また、累計使用電力量算出部１０５又は累計使用電力量算出部２０６は、算出対象となった各計測機器の累計使用電力量、稼働時間及び使用料金それぞれの合計量も算出し、これら算出された合計量も表示されている。また、図８では、２００９年７月の一カ月分の累計使用電力量、及び対象期間がグラフとして表示されている。このように、算出された累計電力使用量［Ｗ］、稼働時間、使用料金等は、箇条的に又はグラフとして表示される。
【００６６】
（第１の実施形態の使用電力量算出システム１０における動作：ＰＬＣ１００で算出する場合）
次に、図９を参照し、第１の実施形態の使用電力量算出システム１０において、外部接続機器５００を構成する各計測機器により使用された累計使用電力量を算出する処理について説明する。図９は、第１の実施形態の使用電力量算出システム１０におけるＰＬＣ１００による累計使用電力量を算出する処理を説明するフローチャートである。
【００６７】
ＰＬＣ１００の電源がＯＮされた場合には、制御部１０１は、外部接続機器制御部１０２に、外部接続機器５００を構成する各計測機器の動作開始に関する制御を行う旨の制御信号を出力すると共に、この制御信号に応答して各計測機器の動作が開始されたときの時刻情報を外部接続機器制御部１０２より取得する。外部接続機器制御部１０２は、制御部１０１により出力された制御信号に基づいて、外部接続機器５００を構成する各計測機器の動作を開始する制御を行う（Ｓ２０１）。
【００６８】
次に、プログラマブル表示器２００及び外部通信部１０６を介して、又は予め設定された所定時刻に若しくはＰＬＣ１００の電源がＯＦＦされた時刻にタイマー部１０３を介して、制御部１０１は、所定又は全体の計測機器の累計使用電力量を算出する旨の指示を取得したか否かを判定する（Ｓ２０２）。当該指示を取得したと制御部１０１が判定した場合に限って（Ｓ２０２のＹＥＳ）、制御部１０１は、当該指示に対応する計測機器の外部接続機器情報５０がメモリ部１０７又は外部メモリ部１５０に登録されているか否かを判定する（Ｓ２０３）。
【００６９】
当該指示に対応する計測機器の外部接続機器情報５０がメモリ部１０７又は外部メモリ部１５０に登録されていない場合には（Ｓ２０３のＮＯ）、制御部１０１は、外部通信部１０６及びプログラマブル表示器２００を介して、当該指示に対応する計測機器の外部接続機器情報５０を登録する旨のメッセージを送信する（Ｓ２０４）。このメッセージの送信の後、別の累計使用電力量算出の要求情報の指示が制御部１０１に入力されたか否かが判定される（Ｓ２０８）。
【００７０】
当該指示に対応する計測機器の外部接続機器情報５０がメモリ部１０７又は外部メモリ部１５０に登録されている場合には（Ｓ２０３のＹＥＳ）、制御部１０１は、外部接続機器制御部１０２を介して各計測機器の稼働時間の値を取得すると共に、メモリ部１０７又は外部メモリ部１５０に記憶されている外部接続機器情報５０から当該指示に対応する計測機器の使用電力量を取得する（Ｓ２０５）。
【００７１】
制御部１０１は、累計使用電力量算出部１０５に、この取得された各計測機器の稼働時間の値及び使用電力量を出力する。累計使用電力量算出部１０５は、この出力された各計測機器の稼働時間の値及び使用電力量に基づいて、各計測機器の累計使用電力量を算出する（Ｓ２０６）。このとき、累計使用電力量算出部１０５は、算出された累計使用電力量に対応する使用料金も算出する（Ｓ２０６）。累計使用電力量算出部１０５は、これら算出された各計測機器の累計使用電力量及び使用料金、並びに当該算出されたときの時刻、当該累計使用電力量の使用時間の条件を制御部１０１に出力する。
【００７２】
制御部１０１は、これら出力された各計測機器の累計使用電力量、当該算出されたときの時刻、当該累計使用電力量の使用時間の条件、及び使用料金を使用電力量算出結果情報として、外部通信部１０６を介して、プログラマブル表示器２００に送信する（Ｓ２０７）。このとき、制御部１０１は、これら各計測機器の累計使用電力量、当該算出されたときの時刻、当該累計使用電力量の使用時間の条件、及び使用料金で構成される使用電力量算出結果情報をメモリ部１０７に記憶しても構わない。
【００７３】
次に、プログラマブル表示器２００及び外部通信部１０６を介して、又は予め設定された所定時刻に若しくはＰＬＣ１００の電源がＯＦＦされた時刻にタイマー部１０３を介して、制御部１０１は、別の所定又は全体の計測機器の累計使用電力量を算出する旨の指示を取得した否かを判定する（Ｓ２０８）。
【００７４】
別の計測機器の累計使用電力量を算出する旨の指示が制御部１０１に入力された場合には（Ｓ２０８のＹＥＳ）、制御部１０１は、当該指示に対応する計測機器の外部接続機器情報５０がメモリ部１０７に登録されているか否かを判定する（Ｓ２０３）。一方、別の計測機器の累計使用電力量を算出する旨の指示が制御部１０１に入力されない場合には（Ｓ２０８のＮＯ）、ＰＬＣ１００による各計測機器の累計使用電力量を算出する処理は終了する。
【００７５】
（第１の実施形態の使用電力量算出システム１０における動作：プログラマブル表示器２００で算出する場合）
次に、図１０を参照し、第１の実施形態の使用電力量算出システム１０において、外部接続機器５００を構成する各計測機器により使用された累計使用電力量を算出する処理について説明する。図１０は、第１の実施形態の使用電力量算出システム１０におけるプログラマブル表示器２００による累計使用電力量を算出する処理を説明するフローチャートである。
【００７６】
この図１０の説明において、ＰＬＣ１００の電源はＯＮされていることが前提となる。このため、ＰＬＣ１００の制御部１０１は、外部接続機器制御部１０２に、外部接続機器５００を構成する各計測機器の動作開始に関する制御を行う旨の制御信号を出力すると共に、この制御信号に応答して各計測機器の動作が開始されたときの時刻情報を外部接続機器制御部１０２より取得している。外部接続機器制御部１０２は、制御部１０１により出力された制御信号に基づいて、外部接続機器５００を構成する各計測機器の動作を開始する制御を行っている。
【００７７】
指示入力部２０２、ＰＬＣ１００及び外部通信部２０７を介して、又は予め設定された所定時刻に若しくはプログラマブル表示器２００の電源がＯＦＦされた時刻にタイマー部２０５を介して、制御部２０１は、所定又は全体の計測機器の累計使用電力量を算出する旨の指示を取得したか否かを判定する（Ｓ３０１）。
【００７８】
当該指示を取得したと制御部２０１が判定した場合に限って（Ｓ３０１のＹＥＳ）、制御部２０１は、外部通信部２０７を介してＰＬＣ１００に対し、当該指示に対応する各計測機器の動作の開始時刻と当該指示が取得されたときの時刻とにおける各計測機器の稼働時間を要求する旨の要求情報を送信する（Ｓ３０２）。制御部２０１は、この送信された要求情報に対応する各計測機器の稼働時間の値をＰＬＣ１００より取得する（Ｓ３０３）。
【００７９】
次に、制御部２０１は、当該指示に対応する計測機器の外部接続機器情報５０がメモリ部２０４又は外部メモリ部１５０に登録されているか否かを判定する（Ｓ３０４）。当該指示に対応する計測機器の外部接続機器情報５０がメモリ部２０４又は外部メモリ部１５０に登録されていない場合には（Ｓ３０４のＮＯ）、制御部２０１は、当該指示に対応する計測機器の外部接続機器情報５０を登録する旨のメッセージを表示部２０３に表示する（Ｓ３０５）。このメッセージの送信の後、別の累計使用電力量算出の要求情報の指示が制御部１０１に入力されたか否かが判定される（Ｓ３０９）。
【００８０】
当該指示に対応する計測機器の外部接続機器情報５０がメモリ部２０４又は外部メモリ部１５０に登録されている場合には（Ｓ３０４のＹＥＳ）、制御部２０１は、メモリ部２０４又は外部メモリ部１５０に記憶されている外部接続機器情報５０から当該指示に対応する計測機器の使用電力量を取得する（Ｓ３０６）。
【００８１】
制御部２０１は、累計使用電力量算出部２０６に、この取得された各計測機器の稼働時間の値及び使用電力量を出力する。累計使用電力量算出部２０６は、この出力された各計測機器の稼働時間の値及び使用電力量に基づいて、各計測機器の累計使用電力量を算出する（Ｓ３０７）。このとき、累計使用電力量算出部２０６は、算出された累計使用電力量に対応する使用料金も算出する（Ｓ３０７）。累計使用電力量算出部２０６は、これら算出された各計測機器の累計使用電力量及び使用料金、並びに当該算出されたときの時刻、当該累計使用電力量の使用時間の条件を制御部２０１に出力する。
【００８２】
制御部２０１は、これら出力された各計測機器の累計使用電力量、当該算出されたときの時刻、当該累計使用電力量の使用時間の条件、及び使用料金を使用電力量算出結果情報として、表示部２０３に表示する（Ｓ３０８）。このとき、制御部２０１は、これら各計測機器の累計使用電力量、当該算出されたときの時刻、当該累計使用電力量の使用時間の条件、及び使用料金で構成される使用電力量算出結果情報をメモリ部２０４又は外部メモリ部１５０に記憶しても構わない。
【００８３】
次に、プログラマブル表示器２００及び外部通信部１０６を介して、又は予め設定された所定時刻に若しくはＰＬＣ１００の電源がＯＦＦされた時刻にタイマー部１０３を介して、制御部２０１は、別の所定又は全体の計測機器の累計使用電力量を算出する旨の指示を取得した否かを判定する（Ｓ３０９）。
【００８４】
別の計測機器の累計使用電力量を算出する旨の指示が制御部２０１に入力された場合には（Ｓ３０９のＹＥＳ）、制御部２０１は、当該指示に対応する計測機器の外部接続機器情報５０がメモリ部２０４に登録されているか否かを判定する（Ｓ３０２）。一方、別の計測機器の累計使用電力量を算出する旨の指示が制御部２０１に入力されない場合には（Ｓ３０９のＮＯ）、プログラマブル表示器２００による各計測機器の累計使用電力量を算出する処理は終了する。
【００８５】
以上のように、第１の実施形態の使用電力量算出システム１０では、外部接続機器５００を構成する各計測機器の稼働時間をＰＬＣ１００が取得し、この各計測機器の稼働時間と、予め登録された外部機器接続情報の使用電力量とに基づいて、ＰＬＣ１００又はプログラマブル表示器２００のいずれにおいても当該各計測機器の累計使用電力量が算出される。また、累計使用電力量を含む使用電力量算出結果情報は、プログラマブル表示器２００の表示部２０３にて表示される。
【００８６】
したがって、第１の実施形態の使用電力量算出システム１０では、外部接続機器により使用された電力量を個別に測定する電力量測定機器を導入せず、当該外部接続機器により使用された電力量を個別に又は一括に算出し、当該算出された結果をプログラマブル表示器２００の表示部２０３に表示することができる。また、この算出された結果は、ＰＬＣ１００、プログラマブル表示器２００又は外部メモリ部１５０のいずれかに記憶することもできる。
【００８７】
さらに、第１の実施形態の使用電力量算出システム１０では、外部接続機器５００を構成する各計測機器に関する外部接続機器情報５０を動的に変更することも可能であり、当該使用電力量算出システム１０のシステム変更等に柔軟に対応することができる。
【００８８】
（第１の実施形態の変形例）
次に、第１の実施形態の使用電力量算出システム１０の変形例について説明する。第１の実施形態の使用電力量算出システム１０の変形例では、第１の実施形態の使用電力量算出システム１０のプログラマブル表示器２００における制御部２０１、メモリ部２０４及びタイマー部２０５の動作が相違する。この相違について説明し、第１の実施形態と同一の内容に関しては、当該説明を省略する。
【００８９】
プログラマブル表示器２００の制御部２０１は、第１の実施形態のプログラマブル表示器２００の制御部２０１の動作内容に加え、累計使用電力量算出部２０６により算出された累計使用電力量が後述する上限値Ａ以上であるか、又は下限値Ｂ未満であるかのいずれかを満たすか否かを判定する。制御部２０１は、累計使用電力量が上限値Ａ以上であると判定した場合、又は累計使用電力量が下限値Ｂ未満であると判定した場合には、使用電力量算出システム１０が異常状態であると判定し、当該異常状態であることを示すアラート情報を表示部２０３に表示する。また、制御部２０１は、表示部２０３に表示されたアラート情報に関する内容、及びタイマー部２０５により出力された当該アラート情報の生成時刻を関連付けたアラート関連情報をメモリ部２０４に記憶する。
【００９０】
アラート情報は表示部２０３に表示されるだけとは限らない。例えば、制御部２０１は、アラート情報をユーザに通知する際、プログラマブル表示器２００に予め配置されたＬＥＤランプ又はブザー等を介して、使用電力量算出システム１０が異常状態であることを報知するようにしても構わない。
【００９１】
プログラマブル表示器２００のメモリ部２０４は、第１の実施形態のプログラマブル表示器２００のメモリ部２０４の動作内容に加え、使用電力量算出システム１０の動作の正常状態を示す所定の範囲（下限値Ａ〜上限値Ｂ）を示す正常状態情報を記憶する。累計使用電力量がこの所定の範囲に含まれない場合には、累計使用電力量が急激に増加した又は急激に減少したことにより、制御部２０１は、使用電力量システム１０が異常状態であると判定する。
【００９２】
下限値Ａとは、使用電力量算出システム１０の正常状態を示す所定の範囲の下限値である。上限値Ａとは、使用電力量算出システム１０の正常状態を示す所定の範囲の上限値である。ここで、使用電力量算出システム１０が異常状態である場合とは、外部接続機器５００に供給された電力以上の電力が外部接続機器５００で使用された場合、又は外部接続機器５００に供給された電力よりも相当に低い電力しか使用されなかった場合を指す。
【００９３】
また、メモリ部２０４は、制御部２０１により出力されたアラート情報の内容及びタイマー部２０５により出力された当該アラート情報の生成時刻が関連付けされたアラート関連情報を記憶する。
【００９４】
タイマー部２０５は、制御部２０１によりアラート情報が生成されたときの時刻を計測し、この計測された時刻を制御部２０１に出力する。
【００９５】
上記した算出された累計使用電力量が使用電力量算出システム１０の正常状態を示す範囲に含まれるか否かの判定の処理タイミングは、図１０に示すフローチャートにおいて、Ｓ３０７による使用電力量算出の処理の後に行われる。
【００９６】
以上のように、第１の実施形態の変形例による使用電力量算出システム１０では、累計使用電力量算出部２０６により算出された累計使用電力量が使用電力量算出システム１０の正常状態を示す所定の範囲に含まれるか否かが判定される。この判定の結果、算出された累計使用電力量が当該所定の範囲に含まれないと判定された場合には、制御部２０１は、アラート情報を表示部２０３に表示する。また、このアラート情報は、メモリ部２０４にログとして記憶される。
【００９７】
したがって、第１の実施形態の変形例による使用電力量算出システム１０では、第１の実施形態の使用電力量算出システム１０では、外部接続機器により使用された電力量を個別に測定する電力量測定機器を導入せず、当該外部接続機器により使用された電力量を個別に又は一括に算出し、当該算出された結果をプログラマブル表示器２００の表示部２０３に表示することができる。また、この算出された結果は、ＰＬＣ１００、プログラマブル表示器２００又は外部メモリ部１５０のいずれかに記憶することもできる。更に、第１の実施形態の変形例による使用電力量算出システム１０では、算出された累計使用電力量の値に基づいて、使用電力量算出システム１０が正常状態であるか否かが判定される。この判定の結果、使用電力量算出システム１０が異常状態であると判定された場合には、ユーザに対してアラート情報が表示されるため、使用電力量算出システム１０の異常状態にいち早く認知し、当該異常状態に対する対応を採ることができる。
【００９８】
以上、添付図面を参照しながら各種の実施形態について説明したが、本発明の入力装置はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９９】
使用電力量算出システム１０が正常状態であることを示す正常状態情報の下限値Ａ及び上限値Ｂに関して、プログラマブル表示器２００を使用するユーザが任意に定めることができるようにしても構わない。
【０１００】
また、メモリ部２０４に記憶されるアラート関連情報は、プログラマブル表示器２００の外部通信部２０７を介してＰＣ１３０に送信されるようにしても構わない。
【０１０１】
また、プログラマブル表示器２００の電源がＯＦＦされた場合には、累計使用電力量算出部２０６が、当該電源がＯＦＦされたときのシステム終了時刻をタイマー部２０５より取得するようにしても構わない。
【符号の説明】
【０１０２】
１０            使用電力量算出システム
５０            外部接続機器情報
１００          ＰＬＣ
１０１          制御部
１０２          外部接続機器制御部
１０３          タイマー部
１０４          外部接続機器情報登録部
１０５          累計使用電力量算出部
１０６          外部通信部
１０７          メモリ部
１３０          ＰＣ
１５０          外部メモリ部
２００          プログラマブル表示器
２０１          制御部
２０２          指示入力部
２０３          表示部
２０４          メモリ部
２０５          タイマー部
２０６          累計使用電力量算出部
２０７          外部通信部
５００          外部接続機器
５０１          コンベヤ
５０２          計測機
５０３          バーコードリーダ
５０４          レーザーマーカ
５０５          画像処理機
５０６          ＲＦＩＤリーダ
５０７          センサ
【図１】
2011090542.tif 000003
【図２】
2011090542.tif 000004
【図３】
2011090542.tif 000005
【図４】
2011090542.tif 000006
【図５】
2011090542.tif 000007
【図６】
2011090542.tif 000008
【図７】
2011090542.tif 000009
【図８】
2011090542.tif 000010
【図９】
2011090542.tif 000011
【図１０】
2011090542.tif 000012